(57)【要約】【課題】本発明は、光ビーム（４）を送出するためのレーザ（１）と、レーザ（１）のビーム路内の蛍光スクリーン（２）と、レーザ（１）と蛍光スクリーン（２）との間に配置されたスクリーン（３）とを有する光源装置（１０，２０，４０）に関する。【解決手段】レーザ（１）のビーム路内のスクリーン（３）は、レーザ（１）によって送出された光ビーム（４）を通過させる少なくとも１つの開口部を有し、これにより、レーザ（１）によって送出された光ビーム（４）が、光（５ａ，５ｃ）を送出するように蛍光スクリーン（２）を励起するように構成されている。スクリーン（３）は、蛍光スクリーン（２）によって送出された光（５ａ）を反射するように形成された再帰反射層（３ａ）を有する。【選択図】図１
2017130454.tif 000002
【特許請求の範囲】
【請求項１】
光ビーム（４）を送出するためのレーザ（１）と、
前記レーザ（１）のビーム路内の蛍光スクリーン（２）と、
レーザ（１）と蛍光スクリーン（２）との間に配置されているスクリーン（３）と、
を備えている光源装置（１０，２０，４０，５０）であって、
前記レーザ（１）のビーム路内の前記スクリーン（３）は、前記レーザ（１）によって送出された前記光ビーム（４）を通過させる少なくとも１つの開口部を有しており、これにより、前記レーザ（１）によって送出された前記光ビーム（４）が、光（５ａ，５ｃ）を送出するように前記蛍光スクリーン（２）を励起するように構成されており、
前記スクリーン（３）は、前記蛍光スクリーン（２）によって送出された光（５ａ）を反射するように形成されている再帰反射層（３ａ）を有している、
ことを特徴とする光源装置（１０，２０，４０，５０）。
【請求項２】
前記スクリーン（３）は、前記蛍光スクリーン（２）と、間隔（ｄ３）を空けて配置されている、請求項１に記載の光源装置（１０，２０，４０，５０）。
【請求項３】
前記再帰反射層（３ａ）は、トリプルミラー反射体を含んでいる、請求項１又は２に記載の光源装置（１０，２０，４０，５０）。
【請求項４】
特にガラスから成る基板（７）を備えており、
前記スクリーン（３）と前記蛍光スクリーン（２）とは、前記基板（７）の相反する面に配置されている、請求項１乃至３のいずれか一項に記載の光源装置（２０，４０，５０）。
【請求項５】
前記基板（７）は、ワイヤ格子偏光子（８）を含んでいる、請求項４に記載の光源装置（４０，５０）。
【請求項６】
前記レーザ（１）は、レーザスキャナとして構成されており、
当該レーザスキャナは、前記光ビーム（４）を角度範囲αにおいて送出するように設計されており、
前記スクリーン（３）の前記少なくとも１つの開口部の直径（ｄ１）は、実質的に、前記スクリーン（３）での前記角度範囲αの幅に相当するように選択されている、請求項１乃至５のいずれか１項に記載の光源装置（１０，２０，４０，５０）。
【請求項７】
請求項１乃至６のいずれか１項に記載の光源装置（１０，２０，４０，５０）を少なくとも１つ有している、
ことを特徴とする車両用ヘッドライト（６０）。
【請求項８】
光源装置（１０，２０，４０，５０）の製造方法であって、
レーザ（１）のビーム路内に蛍光スクリーン（２）を配置するステップ（Ｓ１）と、
レーザ（１）と蛍光スクリーン（２）との間にスクリーン（３）を配置するステップ（Ｓ２）と、
前記レーザ（１）によって送出された光ビーム（４）が、前記蛍光スクリーン（２）に入射し、光（５ａ，５ｃ）を送出するように前記蛍光スクリーン（２）を励起することができるように、前記レーザ（１）によって送出された前記光ビーム（４）を通過させる少なくとも１つの開口部を前記スクリーン（３）内に形成するステップ（Ｓ３）と、
前記蛍光スクリーン（２）によって送出された光（５ａ）を反射するために、再帰反射層（３ａ）を前記スクリーン（３）上に形成するステップ（Ｓ４）と、
を有していることを特徴とする、光源装置（１０，２０，４０，５０）の製造方法。
【発明の詳細な説明】
【技術分野】
【０００１】
本発明は、光源装置、車両用ヘッドライト及び光源装置の製造方法に関する。
【背景技術】
【０００２】
従来技術
例えば自動車産業においては、効率的な光源に対する需要がある。強い出力の光信号を生成する公知の方法は、レーザビームを用いて、蛍光スクリーンを励起して光らせることである。この蛍光スクリーンは、ビームを、一般的に、等方性に、全ての空間方向において放射する。国際公開第２０１０／０８４４５１号（WO2010/084451 A1）から、例えば、上記のような光源が公知であり、ここでは、蛍光スクリーンの両側にワイヤ格子偏光子が配置される。このワイヤ格子偏光子はここで、レーザビームが蛍光スクリーンに入射して、蛍光スクリーンを発光のために励起する箇所で温度を低減するために用いられる。
【先行技術文献】
【特許文献】
【０００３】
【特許文献１】国際公開第２０１０／０８４４５１号
【発明の概要】
【発明が解決しようとする課題】
【０００４】
しかし、典型的には、前方方向、即ち、レーザと離反する方向に放射されるビームだけが、実際に関連する。即ち、平均して、生成された光ビームの半分が失われる。なぜなら、光ビームの半分は、後方方向、即ち、レーザの方向に放射されるからである。
【課題を解決するための手段】
【０００５】
本発明の開示
第１の態様では、本発明は、請求項１の特徴部分に記載された構成を有する光源装置を実現する。
【０００６】
従って、本発明は、光ビームを送出するレーザと、レーザのビーム路内の蛍光スクリーンとを含んでいる光源装置を実現する。レーザと蛍光スクリーンとの間には、スクリーンが配置されており、ここでこのスクリーンは、レーザのビーム路において、レーザによって送出された光ビームを通過させる少なくとも１つの開口部を有している。これによって、レーザによって送出された光ビームが、光を送出するように蛍光スクリーンを励起するように構成されている。スクリーンは再帰反射層を有しており、この再帰反射層は、蛍光スクリーンによって送出された光を反射するように形成されている。
【０００７】
別の態様では、本発明は、請求項７の特徴部分に記載された構成を有する車両用ヘッドライトを実現する。従って、本発明は、少なくとも１つの光源装置を有する車両用ヘッドライトを含んでいる。
【０００８】
別の態様では、本発明は、請求項８の特徴部分に記載された構成を有する、光源装置の製造方法を実現する。
【０００９】
従って、本発明は、光源装置の製造方法を実現し、この方法は、レーザのビーム路内に蛍光スクリーンを配置する第１のステップを有している。さらに、レーザと蛍光スクリーンとの間にスクリーンが配置される。レーザによって送出された光ビームを通過させるために少なくとも１つの開口部が、このスクリーン内に形成される。これにより、レーザによって送出された光ビームが蛍光スクリーンに入射し、光を送出するように蛍光スクリーンを励起することができる。さらに、蛍光スクリーンによって送出された光を反射する再帰反射層が、このスクリーン上に形成される。
【００１０】
有利な発展形態は、各従属請求項の構成要件である。
【００１１】
発明の利点
再帰反射層は、蛍光スクリーンによって送出された光を有利には、放射源、即ち、蛍光スクリーンの励起点へと反射して戻す。このビームはここで、蛍光スクリーンを透過するか、又は、蛍光スクリーンによって吸収され、蛍光スクリーンがこれによって再度、発光するように励起される。従って、この光源装置の利用可能なビーム出力、即ち、最終的に前方方向で送出されるビームの全体比率が高くなる。蛍光スクリーンの後方方向に放射されたビームは有利には可能な限り完全に、再帰反射層によって反射される。従って、後方方向に送出され、かつ、反射されなかった光によるビーム損失が最小化される。
【００１２】
使用可能なビーム出力を高めることによって、例えば、車両用ヘッドライトのために必要なレーザの数を低減することができる。これによって、電流消費だけでなく、同時に、車両用ヘッドライトの複雑性及びコストが低減される。
【００１３】
光源装置の有利な発展形態では、スクリーンは、蛍光スクリーンと、ある間隔を空けて配置されている。
【００１４】
光源装置の有利な発展形態では、再帰反射層は、トリプルミラー反射体を含んでおり、これによって、反射された光が、実質的に、再び、蛍光スクリーンの、光の送出源の点に戻される。
【００１５】
有利な発展形態では、光源装置は、特にガラスから成る基板を含んでいる。ここでスクリーンと蛍光スクリーンとは、基板の相反する面に配置されている。この基板によって、光源装置のより高い安定性が保証される。
【００１６】
光源装置の有利な発展形態では、基板は、ワイヤ格子偏光子を含んでいる。このワイヤ格子偏光子は、同様に、入射したビームの一部を反射し、これによって、光源装置の効果をさらに高めることができる。
【００１７】
光源装置の有利な発展形態では、レーザは、光ビームをある角度範囲で送出するように設計されているレーザスキャナとして構成されている。ここで、スクリーンの少なくとも１つの開口部の直径は、次のように選択されている。即ち、この直径が、実質的に、スクリーンでのこの角度範囲の幅に相当するように選択されている。特に、これによって、スクリーンの少なくとも１つの開口部はできるだけ小さく形成され、従って、蛍光スクリーンによって送出されたビームの、この少なくとも１つの開口部を、レーザの方向に通過し、反射されない割合が最小化される。これによって、使用不可能なビームがさらに低減される。
【図面の簡単な説明】
【００１８】
【図１】本発明の第１の実施形態の光源装置の概略的な横断面図。
【図２】本発明の第２の実施形態の光源装置の概略的な横断面図。
【図３】光源装置の概略的な横断面図。
【図４】本発明の第３の実施形態の光源装置の概略的な横断面図。
【図５】本発明の第４の実施形態の光源装置の概略的な横断面図。
【図６】本発明の車両用ヘッドライトの概略的な横断面図。
【図７】本発明の光源装置の製造方法を説明するフローチャート。
【発明を実施するための形態】
【００１９】
全ての図面において、同等又は機能が同様の要素及び装置には、そうでないことが記載されていない限り、同一の参照符号が付けられている。ステップの番号付けは、分かり易くするためのものであり、特に、そうでないことが記載されていない限り、特定の時間的な順序の意味を含まないべきである。特に、複数のステップを同時に行うことも可能である。
【００２０】
実施例の説明
図１は、本発明の第１の実施形態の光源装置１０の概略的な横断面図を示している。光源装置１０は、ここで、光ビーム４を送出するレーザ１を含んでいる。レーザ１は、ここでは、特に、青色光又は紫外光を送出するように構成されていてよい。
【００２１】
レーザ１は、有利には、ある空間角度範囲でスキャンするように設計されているレーザスキャナである。レーザ１は、鉛直方向において角度範囲αで光ビーム４を送出するように配向されている。これは特に、レーザのマイクロミラーの旋回によって行われる。これに加えてレーザ１を有利には、図平面に対して垂直な水平方向において、ある角度範囲で光ビーム４を送出するようにも配向可能である。
【００２２】
レーザ１のビーム路内には、蛍光スクリーン２、即ち、少なくとも１つの蛍光層を有するスクリーンが配置されている。この蛍光層は、レーザ１によって送出された光ビーム４によって励起されて、光を送出する。
【００２３】
蛍光スクリーンから間隔ｄ３だけ離隔して、レーザ１のビーム路内に、レーザ１と蛍光スクリーン２との間に、スクリーン３が配置されている。蛍光スクリーン２とスクリーン３との間の間隔ｄ３は、例えば、５ｍｍ乃至４０ｍｍであってよく、有利には２０ｍｍであり得る。スクリーン３は、レーザによって送出された光ビーム４を通過させる、少なくとも１つの開口部９を有している。開口部９の幾何学的形状は、ここでは、任意である。しかし、有利には、開口部９は、円形に形成されている。スクリーン３の開口部９の直径ｄ１は、有利には次のように選択されている。即ち、全角度範囲αの光ビーム４が、スクリーン３の開口部９を通過することができるように選択されている。ここで、この直径ｄ１は、有利にはできるだけ小さく選択されており、直径ｄ１は、有利には、スクリーン３での角度範囲αの幅に相当する。有利には、ここで、光ビーム４のビームウェストｄ２も考慮される。
【００２４】
有利には、レーザ１は中央に、開口部９の中心点の前に配置されている。しかし、レーザ１が、ずらされて配置されていてもよい。
【００２５】
レーザ１によって送出されたレーザビーム４は、スクリーン３の開口部９を通過して、蛍光スクリーン２の入射点６に入射する。蛍光スクリーン２は、入射点６で、光を送出するように励起される。レーザ１によって送出されるレーザビーム４を角度範囲αで旋回することによって、蛍光スクリーン２上の、直径Ｄを有する面が、レーザ１によって、スキャンされ、又は、照明される。ここで、この直径Ｄは有利には、１ｃｍと２０ｃｍとの間にある。しかし、本発明は、これに限定されない。従って、レーザ１は、蛍光スクリーン２上の任意の形状の面もスキャン、ひいては、照明することができる。
【００２６】
以降では、「後方方向」における光の送出と、「前方方向」における光の送出とが区別される。蛍光スクリーン２が位置する面によって、空間が２つの半空間に分けられる。「後方方向」における光ビームの送出は、ここで、レーザ１が存在する半空間において光ビームが拡がることを意味している。「前方方向」において光ビームが送出される場合には、光ビームは、レーザ１が存在していない他方の半空間において拡がる。
【００２７】
スクリーン３上には、少なくとも１つの再帰反射層３ａが形成されている。この再帰反射層３ａは、特にトリプルミラー反射体を含み得る。しかし、この再帰反射層３ａは、ルネブルグ・レンズも含み得る。再帰反射層３ａは特に、金属化された背面を備えた球形の要素を含み得る。
【００２８】
トリプルミラー反射体の個々の反射体要素の開口部の大きさは、例えば、約１００μｍになり得る。蛍光スクリーン２とスクリーン３との間の間隔ｄ３が、例えば２０ｍｍである場合、蛍光スクリーン２上のエアリー円盤の直径は約２８０μｍになる。ここで、エアリー円盤は、有利には、ほぼ、送出されたレーザビーム４のビームウェストｄ２に相当する。しかし、これら全ての数値は、一例にすぎない。
【００２９】
後方方向に送出された光ビーム５ａは、スクリーン３の再帰反射層に入射する。再帰反射層は、光ビーム５ａを、実質的に、再帰反射層３ａの光ビーム５ａの入射方向に反する方向に沿って反射するように構成されている。即ち、このように反射された光ビーム５ｂは、蛍光スクリーン２の入射点６の方向へ伝播する。反射された光ビーム５ｂは、蛍光スクリーン２を透過することができ、次に前方方向に拡散する。しかし、反射された光ビーム５ｂは蛍光スクリーン２を、光の再度の送出のために励起することもでき、これによって、光の発光効率を上げることができる。
【００３０】
最終的に、前方方向で放射される光ビームの全体比率、即ち、元来、前方方向で放出されるビームと反射されたビームとの総計は、蛍光スクリーンによって放射された光ビーム全体の少なくとも８５％として見積もられる。しかし、この数値は単なる例であると理解されたい。
【００３１】
本発明は、上述した実施形態に制限されない。特に、スクリーン３は、多数の開口部を有することができる。
【００３２】
さらに、多数の付加的な光学的な要素、特に、レンズが、蛍光スクリーン２の前方及び／又は後方に、取り付けられてよい。
【００３３】
図２では、本発明の光源装置２０の第２の実施形態が示されている。第１の実施形態では、スクリーン３が蛍光スクリーン２と間隔を空けて配置されていた、即ち、空気によって分断されていたが、第２の実施形態では、スクリーン３と蛍光スクリーン２とは、基板７の相反する面に配置されている。基板７は、特にガラス又は別の光透過性の、即ち、透明又は半透明の材料から成り得る。蛍光スクリーン２とスクリーン３とは、ここでは有利には、固定的に、特に接着又は析出によって基板７に固定されている。
【００３４】
図３は光源装置３０の横断面図を示している。光源装置３０は、光ビーム４を送出するレーザ１を含んでいる。レーザ１は、有利には、光ビーム４を鉛直方向において、角度範囲αにおいて送出するように設計されているレーザスキャナである。これは特に、レーザのマイクロミラーの旋回によって行われる。レーザ１のビーム路内には蛍光スクリーン２が形成されている。この蛍光スクリーン２は、基板７の、レーザとは反対側の面に配置されている。基板７は、ここで、ワイヤ格子偏光子８、即ち、良好な導電性を有する平行な金属製ワイヤのアレイを含んでいる。レーザ１によって送出された光ビーム４は、光を送出するように蛍光スクリーン２を励起するように構成されている。後方方向に送出された光ビーム５ｃは、ここでは少なくとも、部分的に、ワイヤ格子偏光子８によって反射され得る。このように反射された光ビーム５ｄは、ここで、再び、蛍光スクリーン２に入射し、光を繰り返し送出するように蛍光スクリーン２を励起するか、又は、蛍光スクリーン２を透過し、前方方向に伝播する。
【００３５】
蛍光スクリーン２によって放射された光はここで、一般的に、ランダムに偏光する。即ち、特別な偏光方向を有していない。光ビーム５ｃは、ワイヤ格子偏光子の偏光に基づいて、透過するか、又は、反射される。例えば、４５°の入射角度の場合には、ワイヤ格子偏光子に対するｐ偏光された成分の透過率は約８５％である。反射された、ｓ偏光された成分の割合は、約８５％として見積もられ得る。これに基づいて、光の少なくとも６０％が最終的に前方方向で放射されることが予期される。しかし、この数値は、単なる例であると理解されたい。
【００３６】
図４は、本発明の第３の実施形態の光源装置４０の横断面図を示している。この第３の実施形態は、図２に示された第２の実施形態と、次の点において異なっている。即ち、基板７内に、蛍光スクリーン２とスクリーン３との間に、図３に示された光源装置３０と同様に、ワイヤ格子偏光子８が形成されている、という点において異なっている。ワイヤ格子偏光子８はここで、後方方向に送出された光ビーム５ｃを反射することができる。このように反射された光ビーム５ｄは、蛍光スクリーン２を透過する、又は、蛍光スクリーンを、光を再度送出するように励起する。
【００３７】
図５は、本発明の第４の実施形態の光源装置５０の横断面図を示している。この第４の実施形態は、図４に示された第３の実施形態と、次の点において異なっている。即ち、蛍光スクリーン２とスクリーン３との間隔ｄ３が、ワイヤ格子偏光子８を有する基板７の厚さｄ４よりも大きい、という点において異なっている。従って、スクリーン３は、基板７と間隔を空けて配置されている。
【００３８】
図６は、第１の実施形態の光源装置１０を有する車両用ヘッドライト６０の横断面図を示している。この車両用ヘッドライト６０は、ここでハウジング５１を有している。ここで蛍光スクリーン２は、ハウジング５１の開口部内に配置されている。蛍光スクリーン２は、周辺影響から、遮蔽部５２によって保護されている。この遮蔽部５２は、さらに、レンズシステムを含んでいる。このレンズシステムは、蛍光スクリーン２によって送出された光を、所定の角度で、外部へと送出するように配向されている。レーザ１は、ここで次のように配置されている。即ち、送出された光ビーム４が、スクリーン３の開口部９を通って蛍光スクリーン２に入射し、蛍光スクリーン２によって前方方向に伝播された光が、遮蔽部１０を通って、車両用ヘッドライト６０から外へ放射されるように、配置されている。
【００３９】
本発明はこれに制限されず、車両用ヘッドライト６０用の光源装置の他の実施形態も使用可能である。
【００４０】
図７は、本発明の光源装置の製造方法を説明するフローチャートを示している。
【００４１】
第１のステップＳ１では、蛍光スクリーン２が、レーザ１、特にレーザスキャナのビーム路内に配置される。レーザ１は有利には、光ビーム４を角度範囲αで送出するように構成されている。第２のステップＳ２では、レーザ１と蛍光スクリーン２との間にスクリーン３が配置される。このスクリーン３内に、第３のステップＳ３において、レーザ１によって送出された光ビーム４を通過させる少なくとも１つの開口部９が形成される。有利には、ここでは多数の開口部が、スクリーン３内に形成される。スクリーン３の開口部９の直径ｄ１は、ここで、有利には、実質的に、レーザ１によって送出された光ビーム４のビームウェストｄ２に相当する。レーザ１によって送出された光ビーム４は少なくとも１つの開口部を通り、入射点６で蛍光スクリーン２に入射する。これによって蛍光スクリーン２は、光を送出するように励起される。
【００４２】
第４のステップＳ４では、再帰反射層３ａが、スクリーン３上に形成される。この再帰反射層３ａは、ここでは、蛍光スクリーン２によって後方方向に送出された光が、再帰反射層３ａに入射し、そこで反射されるように構成される。
【図１】
2017130454.tif 000003
【図２】
2017130454.tif 000004
【図３】
2017130454.tif 000005
【図４】
2017130454.tif 000006
【図５】
2017130454.tif 000007
【図６】
2017130454.tif 000008
【図７】
2017130454.tif 000009
【手続補正書】
【提出日】平成29年4月4日(2017.4.4)
【手続補正１】
【補正対象書類名】特許請求の範囲
【補正対象項目名】全文
【補正方法】変更
【補正の内容】
【特許請求の範囲】
【請求項１】
光ビーム（４）を送出するためのレーザ（１）と、
前記レーザ（１）のビーム路内の蛍光スクリーン（２）と、
レーザ（１）と蛍光スクリーン（２）との間に配置されているスクリーン（３）と、
を備えている光源装置（１０，２０，４０，５０）であって、
前記レーザ（１）のビーム路内の前記スクリーン（３）は、前記レーザ（１）によって送出された前記光ビーム（４）を通過させる少なくとも１つの開口部を有しており、これにより、前記レーザ（１）によって送出された前記光ビーム（４）が、光（５ａ，５ｃ）を送出するように前記蛍光スクリーン（２）を励起するように構成されており、
前記スクリーン（３）は、前記蛍光スクリーン（２）によって送出された光（５ａ）を反射するように形成されている再帰反射層（３ａ）を有している、
ことを特徴とする光源装置（１０，２０，４０，５０）。
【請求項２】
前記スクリーン（３）は、前記蛍光スクリーン（２）と、間隔（ｄ３）を空けて配置されている、請求項１に記載の光源装置（１０，２０，４０，５０）。
【請求項３】
前記再帰反射層（３ａ）は、トリプルミラー反射体を含んでいる、請求項１又は２に記載の光源装置（１０，２０，４０，５０）。
【請求項４】
基板（７）を備えており、
前記スクリーン（３）と前記蛍光スクリーン（２）とは、前記基板（７）の相反する面に配置されている、請求項１乃至３のいずれか一項に記載の光源装置（２０，４０，５０）。
【請求項５】
前記基板（７）は、ワイヤ格子偏光子（８）を含んでいる、請求項４に記載の光源装置（４０，５０）。
【請求項６】
前記基板（７）は、ガラスから成る、請求項４又は５に記載の光源装置（４０，５０）。
【請求項７】
前記レーザ（１）は、レーザスキャナとして構成されており、
当該レーザスキャナは、前記光ビーム（４）を角度範囲αにおいて送出するように設計されており、
前記スクリーン（３）の前記少なくとも１つの開口部の直径（ｄ１）は、前記スクリーン（３）での前記角度範囲αの幅に相当するように選択されている、請求項１乃至６のいずれか１項に記載の光源装置（１０，２０，４０，５０）。
【請求項８】
請求項１乃至７のいずれか１項に記載の光源装置（１０，２０，４０，５０）を少なくとも１つ有している、
ことを特徴とする車両用ヘッドライト（６０）。
【請求項９】
光源装置（１０，２０，４０，５０）の製造方法であって、
レーザ（１）のビーム路内に蛍光スクリーン（２）を配置するステップ（Ｓ１）と、
レーザ（１）と蛍光スクリーン（２）との間にスクリーン（３）を配置するステップ（Ｓ２）と、
前記レーザ（１）によって送出された光ビーム（４）が、前記蛍光スクリーン（２）に入射し、光（５ａ，５ｃ）を送出するように前記蛍光スクリーン（２）を励起することができるように、前記レーザ（１）によって送出された前記光ビーム（４）を通過させる少なくとも１つの開口部を前記スクリーン（３）内に形成するステップ（Ｓ３）と、
前記蛍光スクリーン（２）によって送出された光（５ａ）を反射するために、再帰反射層（３ａ）を前記スクリーン（３）上に形成するステップ（Ｓ４）と、
を有していることを特徴とする、光源装置（１０，２０，４０，５０）の製造方法。
【外国語明細書】
2017130454.tif 000010
2017130454.tif 000011
2017130454.tif 000012
2017130454.tif 000013
2017130454.tif 000014
2017130454.tif 000015
2017130454.tif 000016
2017130454.tif 000017
2017130454.tif 000018
2017130454.tif 000019
2017130454.tif 000020
2017130454.tif 000021
2017130454.tif 000022
2017130454.tif 000023
2017130454.tif 000024
2017130454.tif 000025
2017130454.tif 000026